(57)【要約】      （修正有）【課題】畜舎内の温度管理を容易にし、全開時の開口面積を最大限に大きくすることができる、衛生的で経済的な吊上式カーテン機構を提供する。【解決手段】吊上式カーテン機構１は、下端が壁面に固定されたカーテン１０と、該カーテン１０の上端部を昇降させる昇降手段と、カーテン１０の上下方向の中間部分に取り付けられた巻取パイプ３０と、該巻取パイプ３０の下降に伴って巻取パイプ３０を一方向に回転させる回転手段とを備える。巻取パイプ３０の下降に伴って、カーテン１０は巻取パイプ３０の周りに巻き取られる。【選択図】図２
0003174739.tif 000002
【実用新案登録請求の範囲】
【請求項１】
下端が壁面に固定されたカーテンと、
前記カーテンの上端部を昇降させる昇降手段と、
前記カーテンの上下方向の中間部分に取り付けられた回転体であって、前記カーテンをその周りに巻取可能な回転体と、
前記回転体の下降に伴って該回転体を一方向に回転させる回転手段と、
を備えたことを特徴とする吊上式カーテン機構。
【請求項２】
前記カーテン機構は、畜舎の側面または妻面に設置されることを特徴とする請求項１に記載の吊上式カーテン機構。
【請求項３】
前記回転体の端部に取り付けられたドラムをさらに備えたことを特徴とする請求項１または２に記載の吊上式カーテン機構。
【請求項４】
前記回転手段は、前記ドラムに形成された円筒部と、前記円筒部に巻き付けられ一端が前記壁面に固定された巻取線とを含むことを特徴とする請求項３に記載の吊上式カーテン機構。
【請求項５】
前記昇降手段は、ウェイトと、一端が前記ウェイトに接続された操作線と、前記操作線を巻き上げるウィンチと、一端が前記カーテンの上端部に接続され他端が前記操作線に固定された吊上線とを含むことを特徴とする請求項１から４のいずれか一項に記載の吊上式カーテン機構。
【考案の詳細な説明】
【技術分野】
【０００１】
本考案は、吊上式カーテン機構に係り、特に畜舎において用いられる吊上式カーテン機構に関するものである。
【背景技術】
【０００２】
従来から畜舎の側面や妻面には防寒や防風、畜舎内の温度管理、換気などのためにカーテンが設けられることが多い。このようなカーテンを開閉する機構としては、巻上式、巻下式、吊上式などの方式が知られている。
【０００３】
図１（ａ）は、巻上式のカーテン機構を示している。図１（ａ）に示すように、巻上式のカーテン機構では、カーテンＣの下端に取り付けられたパイプ１０１がウィンチで引き上げられると、カーテンＣはパイプ１０１の周りに巻き取られながら引き上げられる。このように、巻上式のカーテン機構ではカーテンＣは下方から上方に向かって開いていく。
【０００４】
図１（ｂ）は、巻下式のカーテン機構を示している。図１（ｂ）に示すように、巻下式のカーテン機構では、カーテンＣの上端に取り付けられたパイプ１０２がウィンチで下方に移動されると、カーテンＣはその下端に取り付けられた固定パイプ１０３の周りに巻き取られながら下がっていく。このように、巻下式のカーテン機構ではカーテンＣは上方から下方に向かって開いていく（例えば特許文献１参照）。
【０００５】
図１（ｃ）は、吊上式のカーテン機構を示している。図１（ｃ）に示すように、吊上式のカーテン機構では、カーテンＣの下端が壁面に固定され、カーテンＣの上端に取り付けられたパイプ１０４がウィンチで下方に移動されると、カーテンＣは蛇腹状に折り重なりながら下がっていく。このように、吊上式のカーテン機構ではカーテンＣは上方から下方に向かって開いていく。
【０００６】
図１（ａ）に示す巻上式のカーテンは下方から上方に向かって開いていくものであるが、畜舎内の温度管理の観点からは、畜舎の開口部の上部を開いて畜舎内の温度を調整することが好ましく、上方から開くカーテンの方が好ましいといえる。この点に関して、図１（ｂ）に示す巻下式のカーテンは上方から下方に向かって開くことができるが、カーテンをその下端の固定パイプ１０３で巻き取るものであるため、固定パイプ１０３と畜舎の壁面との間にはカーテンを巻き取るため一定の空間が必要となる。このため、カーテンが閉まった状態でもカーテンと畜舎の壁面との間に隙間が生じてしまい、畜舎の環境保全上好ましくない。
【０００７】
図１（ｃ）に示す吊上式のカーテンは上方から下方に向かって開くことができ、また、カーテンの下端も壁面に固定されているため、上述した不都合は生じない。しかしながら、カーテンを開いたときにカーテンが蛇腹状に折り重なるため、カーテン生地が傷みやすく、また、蛇腹状に折れ曲がった部分に埃や水が溜まりやすく衛生上好ましくないという問題がある。さらに、カーテンが開口部の下部に蛇腹状に積み重なるため、カーテンを全開にしても開口面積を十分に確保できないという問題もある。
【先行技術文献】
【特許文献】
【０００８】
【特許文献１】実開平４−１６９７６号公報
【考案の概要】
【考案が解決しようとする課題】
【０００９】
本考案は、このような従来技術の問題点に鑑みてなされたもので、建物内の温度管理を容易にし、全開時の開口面積を最大限に大きくすることができる、衛生的で経済的な吊上式カーテン機構を提供することを目的とする。
【課題を解決するための手段】
【００１０】
本考案の一態様によれば、建物内の温度管理を容易にし、全開時の開口面積を最大限に大きくすることができる、衛生的で経済的な吊上式カーテン機構が提供される。この吊上式カーテン機構は、下端が壁面に固定されたカーテンと、上記カーテンの上端部を昇降させる昇降手段と、上記カーテンの上下方向の中間部分に取り付けられた回転体であって、上記カーテンをその周りに巻取可能な回転体と、上記回転体の下降に伴って該回転体を一方向に回転させる回転手段とを備える。
【００１１】
ここで、上記カーテン機構を畜舎の側面または妻面に設置してもよい。また、上記吊上式カーテン機構は、上記回転体の端部に取り付けられたドラムをさらに備えていてもよい。上記ドラムに形成された円筒部と、上記円筒部に巻き付けられ一端が上記壁面に固定された巻取線とにより上記回転手段を構成してもよい。また、ウェイトと、一端が上記ウェイトに接続された操作線と、上記操作線を巻き上げるウィンチと、一端が上記カーテンの上端部に接続され他端が上記操作線に固定された吊上線とにより上記昇降手段を構成してもよい。
【考案の効果】
【００１２】
本考案によれば、建物内の温度管理を容易にし、全開時の開口面積を最大限に大きくすることができる。また、衛生的で経済的な吊上式カーテン機構を提供することができる。
【図面の簡単な説明】
【００１３】
【図１】従来のカーテン機構を示す斜視図であり、図１（ａ）は巻上式、図１（ｂ）は巻下式、図１（ｃ）は吊上式を示している。
【図２】本考案の一実施形態における吊上式カーテン機構を示す模式図である。
【図３】図２の吊上式カーテン機構のカーテンの構成を示す縦断面図である。
【図４】図２の吊上式カーテン機構の動作を示す模式図である。
【図５】図２の吊上式カーテン機構の動作を示す模式図である。
【考案を実施するための形態】
【００１４】
以下、本考案に係る吊上式カーテン機構の一実施形態について図２から図５を参照して詳細に説明する。なお、図２から図５において、同一または相当する構成要素には、同一の符号を付して重複した説明を省略する。
【００１５】
図２は、本考案の一実施形態における吊上式カーテン機構１を示す模式図である。図２に示すように、本実施形態における吊上式カーテン機構１は、畜舎の開口部３を開閉可能なカーテン１０と、畜舎の桁行き方向に張設された操作ワイヤ（操作線）１２と、操作ワイヤ１２の一端に接続されたウェイト１４と、操作ワイヤ１２を案内する滑車１６および滑車１８と、操作ワイヤ１２を巻き上げるウィンチ２０とを備えている。なお、ウィンチ２０は、自動式、手動式どちらであってもよい。
【００１６】
図３は、カーテン１０の構成を示す縦断面図である。図３に示すように、カーテン１０の下端は、例えば木製の平板５などを用いて畜舎の下部壁面７に固定されている。また、カーテン１０の上部壁面９には複数の滑車２２が設けられており、これらの滑車２２のうちのいくつかは畜舎の桁行き方向に沿って例えば２ｍ間隔で配置される。
【００１７】
図２に示すように、カーテン１０の上端部には、桁行き方向に沿って延びる袋１０Ａが形成されており、この袋１０Ａの内部には吊上パイプ２４（例えば直径１５．９ｍｍ）が挿入されている。また、カーテン１０の上端部には複数の吊上ロープ（吊上線）２６が接続されている。これらの吊上ロープ２６は、対応する滑車２２に案内され、その端部は固定クリップ２８により操作ワイヤ１２に固定される。
【００１８】
図２および図３に示すように、カーテン１０の上下方向の中間部分には桁行き方向に沿って延びる袋１０Ｂが形成されている。この袋１０Ｂの内部には巻取パイプ３０（例えば直径２５ｍｍ）が挿入されている。この巻取パイプ３０は固定具（パッカー）３１によりカーテン１０に固定され、巻取パイプ３０が回転するとカーテン１０が巻取パイプ３０の周りに巻き取られるようになっている。このように、本実施形態における巻取パイプ３０は、カーテン１０をその周りに巻取可能な回転体としての役割を有する。
【００１９】
図２に示すように、巻取パイプ３０の一端には円筒状のドラム３２が取り付けられている。ドラム３２の円筒部３２Ａには巻取ワイヤ（巻取線）３４が巻き付けられており、巻取ワイヤ３４の一端はドラム３２の円筒部３２Ａに固定されている。巻取ワイヤ３４の他端は、上部壁面９に取り付けられた固定具３５に固定されている。
【００２０】
また、巻取パイプ３０の他端には円筒状のドラム３６が取り付けられている。ドラム３６の円筒部３６Ａには巻取ワイヤ（巻取線）３８が巻き付けられており、巻取ワイヤ３８の一端はドラム３６の円筒部３６Ａに固定されている。巻取ワイヤ３８の他端は上部壁面９に取り付けられた固定具４０に固定されている。
【００２１】
ここで、巻取ワイヤ３４がドラム３２に巻き付けられている方向（円周方向）と、巻取ワイヤ３８がドラム３６に巻き付けられている方向（円周方向）とは同一である。これにより、ドラム３２，３６および巻取パイプ３０には巻取ワイヤ３４，３８の巻き付け方向とは逆方向に回転するような力が加わる。
【００２２】
図２に示すように、ドラム３２の端部には案内溝３２Ｂが形成されている。この案内溝３２Ｂにはガイドワイヤ４２が案内されている。このガイドワイヤ４２の一端は、下部壁７に取り付けられた固定具４４に固定されている。開口部３の下部近傍の壁面には滑車４６が設けられており、開口部３の上部近傍の壁面には滑車４８が設けられている。ドラム３２の案内溝３２Ｂに案内されたガイドワイヤ４２は、滑車４６および滑車４８に案内され、その端部は固定クリップ５０により操作ワイヤ１２に固定される。
【００２３】
また、ドラム３６の端部には案内溝３６Ｂが形成されている。この案内溝３６Ｂにはガイドワイヤ５２が案内されている。このガイドワイヤ５２の一端は、下部壁７に取り付けられた固定具５４に固定されている。開口部３の下部近傍の壁面には滑車５６が設けられており、開口部３の上部近傍の壁面には滑車５８が設けられている。ドラム３６の案内溝３６Ｂに案内されたガイドワイヤ５２は、滑車５６および滑車５８に案内され、その端部にはウェイト６０が接続される。このような構成により、ドラム３２，３６および巻取パイプ３０は下方に付勢される。
【００２４】
このような構成において、カーテン１０を開く方向（図２のＡ方向）にウィンチ２０を回転させると、ウェイト１４の自重により操作ワイヤ１２がウィンチ２０から引き出される。これに伴い、図４に示すように、固定クリップ２８が桁行き方向に移動し、この結果、吊上ロープ２６の下端が下方に移動するため、カーテン１０の上端が下がる。このとき、ドラム３２，３６も下降するが、これらドラム３２，３６の下降に伴い、円筒部３２Ａ，３６Ａに巻かれた巻取ワイヤ３４，３８の作用によりドラム３２，３６および巻取パイプ３０が回転する。これにより、袋１０Ｂの上側と下側のカーテン１０がそれぞれ巻取パイプ３０に巻き取られていく。
【００２５】
このように、本実施形態では、ドラム３２，３６に形成された円筒部３２Ａ，３６Ａと、これらに巻き付けられた巻取ワイヤ３４，３８とにより、巻取パイプ３０の下降に伴って巻取パイプ３０を一方向に回転させる回転手段が構成される。また、操作ワイヤ１２と、ウェイト１４と、ウィンチ２０と、吊上ロープ２６とにより、カーテン１０の上端部を昇降させる昇降手段が構成される。
【００２６】
さらにウィンチ２０を回転させると、上述したように、袋１０Ｂの上側と下側のカーテン１０がそれぞれ巻取パイプ３０に巻き取られていき、最終的には図５に示すようにすべてのカーテン１０が巻取パイプ３０に巻き取られる。
【００２７】
このように、カーテン１０を上方から開けることができるので、建物（畜舎）内の温度管理が容易になる。また、カーテン１０の下端が壁面７に固定されているため、カーテンと建物の壁面７との間に隙間が生じず、すきま風などを防止し、建物（畜舎）内の環境を維持しやすい。また、従来の吊上式カーテン機構では、カーテン全開時にカーテンが蛇腹状に積み重なるため、開口面積を十分に確保できなかったが、本実施形態の吊上式カーテン機構１によれば、全開時にはカーテン１０が巻取パイプ３０（回転体）に巻き取られるため、開口面積を最大限に大きくすることができ、換気効率を高めることができる。
【００２８】
また、本実施形態の吊上式カーテン機構１は、従来の吊上式カーテン機構のようにカーテンが蛇腹状に折り重なることがない。したがって、カーテン生地が傷みやすいといったことがなく、カーテンの寿命を長くすることができ、経済性にも優れる。さらに、カーテン１０がすべて巻取パイプ３０（回転体）に巻き取られ、カーテン１０の開閉動作中にはカーテン１０のたるみが生じないため、埃や水が溜まるといったこともなく、衛生的にも優れている。
【００２９】
また、巻上式のカーテン機構や巻下式のカーテン機構、あるいは従来の吊上式のカーテン機構に本発明を適用しようとする場合であっても、ワイヤやロープ、ウィンチなど既存の設備をそのまま再利用することができるので、施工時のコストを削減することができるとともに資源の無駄を省くことが可能となる。
【００３０】
これまで本考案の好ましい実施形態について説明したが、本考案は上述の実施形態に限定されず、その技術的思想の範囲内において種々異なる形態にて実施されてよいことは言うまでもない。例えば、上述した実施形態におけるワイヤやロープ、ウィンチ、滑車、ウェイト、固定具、固定クリップなどの各要素は、同じ機能を有する別の要素に置換することができる。
【符号の説明】
【００３１】
１    吊上式カーテン機構
３    開口部
７    下部壁面
９    上部壁面
１０    カーテン
１０Ａ，１０Ｂ    袋
１２    操作ワイヤ
１４，６０    ウェイト
１６，１８，２２，４６，４８，５６，５８    滑車
２０    ウィンチ
２４    吊上パイプ
２６    吊上ロープ
２８，５０    固定クリップ
３０    巻取パイプ
３１，３５，４０，４４，５４    固定具
３２，３６    ドラム
３２Ａ，３６Ａ    円筒部
３２Ｂ，３６Ｂ    案内溝
３４，３８    巻取ワイヤ
４２，５２    ガイドワイヤ
【図１】
0003174739.tif 000003
【図２】
0003174739.tif 000004
【図３】
0003174739.tif 000005
【図４】
0003174739.tif 000006
【図５】
0003174739.tif 000007